(57)【要約】【課題】圧縮機の運転振動の伝達により発生する圧縮機駆動装置の放熱板の騒音に関して、人が耳障りとなる低周波数帯の音の発生を抑えた圧縮機駆動装置を提供することを目的としている。【解決手段】圧縮機１０２を駆動する半導体素子及びその駆動を制御する制御回路が実装されたプリント基板１０６と、プリント基板１０６を収納し圧縮機１０２に直接取り付ける構造を持った樹脂ケース１０７と、前記半導体素子冷却用として樹脂ケース１０７に複数のビス１０８によって取付けられた放熱板１０９からなり、樹脂ケース１０７の放熱板１０９を取付ける面において、ゴム１１０を設けたことにより、人が耳障りとなる低周波数帯の音の発生を抑えた圧縮機駆動装置を提供することができる。【選択図】図１
2013194538.tif 000002
【特許請求の範囲】
【請求項１】
圧縮機を駆動する半導体素子と、前記圧縮機の駆動を制御する制御回路が実装されたプリント基板と、前記プリント基板を収納し圧縮機に直接取り付ける構造を持った樹脂ケースと、前記半導体素子の冷却用として樹脂ケースに複数のビスによって取付けられた放熱板とを有し、前記樹脂ケースの放熱板を取付ける面にゴムを備えたことを特徴とする圧縮機駆動装置。
【請求項２】
圧縮機を駆動する半導体素子と、前記圧縮機の駆動を制御する制御回路が実装されたプリント基板と、前記プリント基板を収納し圧縮機に直接取り付ける構造を持った樹脂ケースと、前記半導体素子の冷却用として樹脂ケースに複数のビスによって取付けられた放熱板とを有し、樹脂ケースの複数のビスが取り付けられた箇所の略中央部にゴムを備えたことを特徴とする圧縮機駆動装置。
【請求項３】
前記樹脂ケースの前記放熱板を取付ける面に、ゴムを取り付けるための溝を設けた請求項１または請求項２に記載の圧縮機駆動装置。
【発明の詳細な説明】
【技術分野】
【０００１】
本発明は、冷蔵庫等に搭載される冷却システムの圧縮機を駆動する圧縮機駆動装置に関するものである。
【背景技術】
【０００２】
従来、パワーエレクトロニクスの進歩に伴い、冷却システムにはインバータ圧縮機が使用されている。例えば、冷蔵庫や空気調和機などにおいて、省エネルギーの目的でインバータ圧縮機が圧縮機駆動装置を介して使用され、機器の省エネルギーに大きく貢献している。
【０００３】
このような圧縮機駆動装置に置いて、圧縮機の外郭に取付けて構成する圧縮機駆動装置が提案されている（例えば特許文献１参照）。
【０００４】
以下、図面を参照しながら従来の圧縮機駆動装置について説明する。
【０００５】
図５は特許文献１に記載された従来の圧縮機駆動装置を圧縮機に取り付けた状態を示す側面図、図６は従来の圧縮機駆動装置の構成図である。
【０００６】
図５において、圧縮機駆動装置１は圧縮機２に取り付けるための取り付け脚３が設けられており、圧縮機２の外郭に溶接されたブラケット４に取り付けられている。
【０００７】
また、図６において、圧縮機駆動装置１は主に圧縮機２を駆動する半導体素子５及びその駆動を制御する制御回路が実装されたプリント基板６と、プリント基板６を収納し圧縮機２に直接取り付ける取り付け脚３を持った樹脂ケース７と、前記半導体素子５の冷却用として樹脂ケースに４箇所のビス８によって取り付けられる放熱板９からなる。半導体素子５の上面には、絶縁シート１０（記載せず）を介しながら熱拡散コンパウンド１１（記載せず）を塗ることによって熱を放熱板９に逃がしている。放熱板９は、半導体素子５及びその駆動を制御する制御回路の発生する熱量によるが、熱伝導性が良好なアルミ材料が一般的に用いられている。
【０００８】
圧縮機駆動装置１が動作すると、半導体素子５及び制御回路によって圧縮機２内の電動機を回転させるための電力を圧縮機２側へ供給する。
【先行技術文献】
【特許文献】
【０００９】
【特許文献１】特開２０００−３５７８９０号公報
【発明の概要】
【発明が解決しようとする課題】
【００１０】
しかしながら上記従来の構成では、圧縮機２の振動の伝達によって放熱板９が振動する際に、放熱板が（１）略平面で形成されている、（２）放熱性を確保するために面積が大きい、（３）４隅のビス固定である、ことから放熱板９の固有振動数が低く、人が耳障りとなる低周波数帯の音が増大するという課題を有していた。
【００１１】
本発明は、上記従来の課題を解決するもので、圧縮機２の振動によって放熱板が振動する際に、人が耳障りとなる低周波数帯の音の発生を抑えた圧縮機駆動装置を提供することを目的としている。
【課題を解決するための手段】
【００１２】
上記従来の課題を解決するために、圧縮機を駆動する半導体素子と、前記圧縮機の駆動を制御する制御回路が実装されたプリント基板と、前記プリント基板を収納し圧縮機に直接取り付ける構造を持った樹脂ケースと、前記半導体素子の冷却用として樹脂ケースに複数のビスによって取付けられた放熱板とを有し、前記樹脂ケースの放熱板を取付ける面にゴムを備えたことにより、人が耳障りとなる低周波数帯の音の発生を抑えることができる。
【００１３】
また、本発明の圧縮機駆動装置は、圧縮機を駆動する半導体素子と、前記圧縮機の駆動を制御する制御回路が実装されたプリント基板と、前記プリント基板を収納し圧縮機に直接取り付ける構造を持った樹脂ケースと、前記半導体素子の冷却用として樹脂ケースに複数のビスによって取付けられた放熱板とを有し、樹脂ケースの複数のビスが取り付けられた箇所の略中央部にゴムを備えたことにより、人が耳障りとなる低周波数帯の音の発生を抑えることができる。
【発明の効果】
【００１４】
本発明の圧縮機駆動装置は、圧縮機の振動によって放熱板が振動する際に、人が耳障りとなる低周波数帯の音の発生を抑えた圧縮機駆動装置を提供することができる。
【図面の簡単な説明】
【００１５】
【図１】本発明の実施の形態１における圧縮機駆動装置を圧縮機に取り付けた状態を示す斜視図
【図２】同実施の形態における放熱板と樹脂ケースの取り付け関係を示す斜視図
【図３】実施の形態２における圧縮機駆動装置の構成と圧縮機に取り付けた状態を示す斜視図
【図４】同実施の形態における放熱板と樹脂ケースの取り付け関係を示す斜視図
【図５】従来の圧縮機駆動装置を圧縮機に取り付けた状態を示す側面図
【図６】従来の圧縮機駆動装置の構成図
【発明を実施するための形態】
【００１６】
第１の発明は、圧縮機を駆動する半導体素子及びその駆動を制御する制御回路が実装されたプリント基板と、前期プリント基板を収納し圧縮機に直接取り付ける構造を持った樹脂ケースと、前記半導体素子冷却用として樹脂ケースに複数のビスによって取付けられた放熱板からなり、樹脂ケースの放熱板を取付ける面において、ゴムを設けたことにより、人が耳障りとなる低周波数帯の音の発生を抑えた圧縮機駆動装置を提供することができる。
【００１７】
第２の発明は、圧縮機を駆動する半導体素子及びその駆動を制御する制御回路が実装されたプリント基板と、前期プリント基板を収納し圧縮機に直接取り付ける構造を持った樹脂ケースと、前記半導体素子冷却用として樹脂ケースに複数のビスによって取付けられた放熱板からなり、樹脂ケースのビス取付箇所２点間の略中央部に、ゴムを設けたことにより、人が耳障りとなる低周波数帯の音の発生を抑えた圧縮機駆動装置を提供することができる。
【００１８】
（実施の形態１）
図１は、本発明の第１の実施の形態における圧縮機駆動装置の構成と圧縮機に取り付けた状態を示す斜視図である。図２は、放熱板と樹脂ケースの取り付け関係を示す斜視図である。
【００１９】
図１において、圧縮機駆動装置１０１は主に圧縮機１０２を駆動する半導体素子１０５及びその駆動を制御する制御回路が実装されたプリント基板１０６と、プリント基板１０６を収納し圧縮機１０２に直接取り付ける取り付け脚１０３を持った樹脂ケース１０７と、前記半導体素子１０５の冷却用として樹脂ケース１０７に４箇所のビス１０８によって取付けられる放熱板１０９からなる。放熱板１０９と樹脂ケース１０７の嵌めあい部分には、全周に亘ってゴム１１０が取り付けられている。
【００２０】
また圧縮機駆動装置１０１は、取り付け脚１０３を介して圧縮機１０２の外郭に溶接されたブラケット１０４に取付けられる。ブラケット１０４内には、圧縮機駆動装置１０１から配線でつながれたオーバーロードプロテクター１１２と圧縮機電動機へ電力を供給するクラスター接続子１１３が取り付くようになっている。
【００２１】
図２において、ゴム１１０は樹脂ケース１０７側に掘られた溝１１１に取り付けられる。ゴムの高さＨ２は、溝高さＨ１より大きく、ゴムを挿入した際ゴムの反発力で溝に保持される。また、ゴムの奥行き寸法Ｄ２は、溝深さＤ１より大きく、放熱板１０９を取付けた際に放熱板１０９に反発力働くようになっている。
【００２２】
以上のように構成された圧縮機駆動装置１０１において、以下動作について説明する。圧縮機駆動装置１０１が動作すると、半導体素子及び制御回路によって圧縮機内の電動機を回転させるための電力を圧縮機１０２側へ供給する。それによって圧縮機１０２は運転を行い、回転動作によって振動を発生する。その振動はブラケット１０４を介して、樹脂ケース１０７や放熱板１０９に伝達する。
【００２３】
放熱板１０９は、ゴム１１０に反発力が働くことで当該箇所の振動が抑制される。特に、人が耳障りとなる低周波数帯の音の発生を抑えることができる。
【００２４】
以上のように本実施の形態においては、圧縮機１０２を駆動する半導体素子及びその駆動を制御する制御回路が実装されたプリント基板１０６と、プリント基板１０６を収納し圧縮機１０２に直接取り付ける構造を持った樹脂ケース１０７と、前記半導体素子冷却用として樹脂ケース１０７に複数のビス１０８によって取付けられた放熱板１０９からなり、樹脂ケース１０７の放熱板１０９を取付ける面において、ゴム１１０を設けたことにより、人が耳障りとなる低周波数帯の音の発生を抑えた圧縮機駆動装置を提供することができる。
【００２５】
（実施の形態２）
図３は、本発明の第２の実施の形態における圧縮機駆動装置の構成と圧縮機に取り付けた状態を示す斜視図である。図４は、放熱板と樹脂ケースの取り付け関係を示す斜視図である。
【００２６】
第２の実施の形態と同様のところは説明を省略する。
【００２７】
図３において、樹脂ケース１０７の放熱板１０９を取付ける面において、隣接するビス取り付け箇所の略中央部にゴム１１５が取り付けられている。
【００２８】
図４において、ゴム１１５は樹脂ケース１０７側に部分的に掘られた溝１１６に取り付けられる。ゴムの高さＨ２は、溝高さＨ１より大きく、ゴムを挿入した際ゴムの反発力で溝に保持される。また、ゴムの奥行き寸法Ｄ２は、溝深さＤ１より大きく、放熱板１０９を取付けた際に放熱板１０９に反発力働くようになっている。
【００２９】
以上のように構成された圧縮機駆動装置において、以下動作について説明する。
第２の実施の形態と同様に、圧縮機駆動装置１０１が動作すると、半導体素子及び制御回路によって圧縮機内の電動機を回転させるための電力を圧縮機側へ供給する。それによって圧縮機は運転を行い、回転動作によって振動を発生する。その振動はブラケットを介して、樹脂ケース１０７や放熱板１０９に伝達する。
【００３０】
放熱板１０９は、ゴム１１５に反発力が働くことで当該箇所振動の節になる。それによって両隅のビス固定だけの場合に対して、放熱板１０９の固有振動数が高くなり、人が耳障りとなる低周波数帯の音の発生を抑えることができる。
【００３１】
以上のように本実施の形態においては、圧縮機１０２を駆動する半導体素子及びその駆動を制御する制御回路が実装されたプリント基板１０６と、プリント基板１０６を収納し圧縮機１０２に直接取り付ける構造を持った樹脂ケース１０７と、前記半導体素子冷却用として樹脂ケース１０７に複数のビス１０８によって取付けられた放熱板１０９からなり、樹脂ケース１０７の放熱板１０９を取付ける面において、隣接するビス取付箇所の略中央部にゴム１１５が取り付けたことにより、人が耳障りとなる低周波数帯の音の発生を抑えた圧縮機駆動装置を提供することができる。
【産業上の利用可能性】
【００３２】
以上のように、本発明にかかる圧縮機駆動装置は、放熱板の固有振動数を高くすることにより、圧縮機の運転振動の伝達により発生する放熱板の騒音に関して、人が耳障りとなる低周波数帯の音の発生を抑えた圧縮機駆動装置を提供することができるので、冷蔵庫、空調調和機等の圧縮機駆動装置に適用することができる。
【符号の説明】
【００３３】
１０１  圧縮機駆動装置
１０２  圧縮機
１０６  プリント基板
１０７  樹脂ケース
１０９  放熱板
１１０，１１５  ゴム
１１１，１１６  溝
【図２】
2013194538.tif 000003
【図４】
2013194538.tif 000004
【図１】
2013194538.tif 000005
【図３】
2013194538.tif 000006
【図５】
2013194538.tif 000007
【図６】
2013194538.tif 000008